(57)【要約】【課題】  補聴器の外部電源を提供すること【解決手段】  外部電源は、補聴器に配置された正及び負の電極端子、ワイヤ及び電源から成る。前記電極端子は、前記ワイヤに接続された２片の薄い板を利用し、前記補聴器の構造の変更なしに電池容器に通されている。前記ワイヤの一方の端部に、太陽電池と充電池又は標準の小さな電池とを組み合わせることができる電源がある。前記電源は、多機能で、電気伝導回路を提供する回路と、背景雑音の音量を検出し、雑音が過負荷であるとき一時的に停止し、背景雑音の音量が通常のレベルに戻ったとき自動的に起動する自動大騒音制御回路と、出力電圧が常に１．４Ｖに制御される電圧調整回路とを有する。【選択図】図１
0003167743.tif 000002
【実用新案登録請求の範囲】
【請求項１】
ワイヤが接続された２片の電気伝導金属を有する正及び負の電極端子と、該電極端子に前記ワイヤを介して接続されている電源とを含み、
前記正及び負の電極端子は、ボタン電池と類似であり、前記電極端子のサイズはボタン電池のサイズ（電池番号６７５、１３、３１２、１０及び５等）に従って決められている、補聴器の外部電源。
【請求項２】
前記電極端子は、前記補聴器の電池容器に取り付けられている、請求項１に記載の外部電源。
【請求項３】
前記２片の電気伝導金属は、前記補聴器の容器と前記電池との間の空間に通すように使用される、請求項１に記載の外部電源。
【請求項４】
自動大騒音制御回路が、背景雑音の音量を検出し、前記雑音が過負荷であるとき一時的に停止し、前記背景雑音の音量が通常のレベルに戻ったとき自動的に起動する、請求項１に記載の外部電源。
【考案の詳細な説明】
【技術分野】
【０００１】
本考案は、補聴器の任意のサイズのボタン電池に代わる外部電源に関する。
【背景技術】
【０００２】
本考案は、ボタン電池を使用する補聴器に用いる外部電源を提供することを目的とし、ボタン電池に代わるべく前記外部電源はワイヤを介して前記補聴器に電力を提供する。前記外部電源は、背景雑音の音量を検出可能な１組の自動大騒音制御回路を含む。前記外部電源は、補聴器使用者の聴解力を保護しかつボタン電池の消費量を節約するように、雑音が過負荷であるとき一時的に停止し、背景雑音の音量が通常のレベルに戻ったとき自動的に起動する。
【考案の概要】
【考案が解決しようとする課題】
【０００３】
本考案の目的は、補聴器の外部電源を提供することである。
【課題を解決するための手段】
【０００４】
この外部電源は、補聴器に配置された正及び負の電極端子、ワイヤ及び電源から成る。前記電極端子は、前記ワイヤに接続された２片の薄い板を使用し、前記補聴器の構造を変更することなしに電池容器に通されている。前記ワイヤの一方の端部に、太陽電池と充電池又は標準の小さな電池とを組み合わせることができる電源がある。前記電源は、多機能で、電気伝導回路を提供する回路と、背景雑音の音量を検出し、雑音が過負荷であるとき一時的に停止し、背景雑音の音量が通常のレベルに戻ったとき自動的に起動する自動大騒音制御回路と、出力電圧が常に１．４Ｖに制御される電圧調整回路とを有する。
【図面の簡単な説明】
【０００５】
【図１】本考案に係る補聴器の外部電源の斜視図。
【図２】本考案に係る外部電源の電極端子の分解斜視図。
【図３】本考案に係る外部電源の分解斜視図。
【図４】本考案に係る外部電源の回路図。
【図５ａ】本考案に係る外部電源の操作図。
【図５ｂ】本考案に係る外部電源の操作図。
【考案を実施するための形態】
【０００６】
図１を参照するに、本考案は、補聴器に配置された正及び負の電極端子１、電源２及びワイヤ３から成る。
【０００７】
基本的に、前記電極端子のモデルは前記ボタン電池と類似であり、前記電極端子のサイズは、前記補聴器に使用されているボタン電池のサイズに従って決められる（例えば、電池番号６７５、１３、３１２、１０及び５等）。
【０００８】
図２に示すように、前記電極端子は、正極金属ケース１０１を有し、
ワイヤ３の前記一方の端部は、電源２の正極及び負極の出力に接続され、他方の端部は、正の電気伝導金属板１０６と、負の電気伝導金属板１０７とに別々に接続されている。両電気伝導金属板１０６、１０７は、ＰＶＣプラスチック１０８に覆われ、適当な長さだけ露出している。両電気伝導金属板１０６、１０７は、正極金属ケース１０１に挿入されている。負の電気伝導金属板１０７は、電源２から負の電極端子１０５まで負の電気を伝導するようにプラスチックベース１０４及び前記負の電極端子とともにねじ１０３で固定されている。絶縁ワッシャー１０２が、ねじ１０３の上に置かれている。正極金属ケース１０１は、アセンブリ全体を覆っている。正の電気伝導金属板１０６が引っ張りによって外れないように保証すべく、ねじ１０９が、正極金属ケース１０１の穴、前記正の電気伝導金属板及び絶縁ワッシャー１０２に通されてプラスチックベース１０４にきつくねじ込まれている。
【０００９】
最終的に、圧縮工具を用いることによって正極金属ケース１０１の開口をプラスチックベース１０４で圧縮し、正及び負の電極端子１の構造を完成する。
【００１０】
電源２に関して図３を参照する。図において、ワイヤ３は回路基板２０６に接続され、負の電気伝導ワイヤが電池ばね２１１に接続されている。太陽電池２０１がプラスチックケース２０２にしっかりと取り付けられ、前記ワイヤは前記プラスチックケースに通され、回路基板２０６の電源入力に接続されている。充電池２０５が回路基板２０６の底面に溶接されている。回路基板２０６は、プラスチックケース２０３の内側に取り付けられ、ワイヤ３はプラスチックケース２０２の側部とプラスチックケース２０３の側部との間に取り付けられている。両プラスチックケース２０２、２０３は、共に接着されている。標準の電池２０９を使用するとき、該電池は電池ばね２１０及び２１１の間に位置付けられた、プラスチックケース２０３の底面の開口に取り付けられ、その後、電池容器２０４を閉じる。
【００１１】
電源２の電気構造に関して図４を参照する。回路基板２０６に電源オン／オフスイッチ２０８があり、該電源オン／オフスイッチは、太陽電池、標準の電池又は電源を切ることの選択を与える。回路基板２０６は、（充電池２０５の使用を短くすることを避けるように前記太陽電池の出力電圧を調整する）充電回路２０６ａと、（前記背景雑音を得るようにマイクロホン２０７を使用し、前記音量を計算し、前記電源の停止及び／又は再起動に関して前記騒音を８４ｄＢ以下に制御する）自動大騒音制御回路２０６ｂと、（電圧調整回路及び電圧調整器が充電池２０５の電圧１．２Ｖ及び／又は標準の電池２０９の電圧１．５Ｖを１．８Ｖまで昇圧させ、ワイヤ３の電圧を１．４Ｖへ調整し、電極端子１に通電する）調整回路２０６ｃとを含む。
【００１２】
図５ａに示すように、消費者が電池容器４（図５ｂ）の上部に電極端子１を挿入し、前記電池容器を閉じると、消費者は前記補聴器の使用を開始することができる。電源２は、襟、袖又は服の前面に留めることができる。
【００１３】
本考案は、標準の電池を充電池に代えるだけでなく、補聴器使用者の聴解力を保護するように前記背景騒音が過負荷であるとき一時的に前記電源を停止し、前記背景雑音の音量が通常のレベルに戻ったとき自動的に起動する補聴器の外部電源である。
【符号の説明】
【００１４】
１        正及び負の電極端子
２        電源
３        ワイヤ
４        補聴器の電池容器
２０６    回路基板
２０６ａ  充電回路
２０６ｂ  自動大騒音制御回路
２０６ｃ  調整回路
【図１】
0003167743.tif 000003
【図２】
0003167743.tif 000004
【図３】
0003167743.tif 000005
【図４】
0003167743.tif 000006
【図５ａ】
0003167743.tif 000007
【図５ｂ】
0003167743.tif 000008
【手続補正書】
【提出日】平成23年2月25日(2011.2.25)
【手続補正１】
【補正対象書類名】実用新案登録請求の範囲
【補正対象項目名】全文
【補正方法】変更
【補正の内容】
【実用新案登録請求の範囲】
【請求項１】
ワイヤが接続された２片の電気伝導金属を有する正及び負の電極端子と、該電極端子に前記ワイヤを介して接続されている電源とを含み、
前記正及び負の電極端子は、ボタン電池と類似であり、前記電極端子のサイズはボタン電池のサイズに従って決められている、補聴器の外部電源。
【請求項２】
前記電極端子は、前記補聴器の電池容器に取り付けられている、請求項１に記載の外部電源。
【請求項３】
前記２片の電気伝導金属は、前記補聴器の容器と前記電池との間の空間に通すように使用される、請求項１に記載の外部電源。
【請求項４】
背景雑音の音量を検出し、前記雑音が過負荷であるとき一時的に前記外部電源を停止し、前記背景雑音の音量が通常のレベルに戻ったとき前記外部電源を自動的に起動する自動大騒音制御回路が設けられた、請求項１に記載の外部電源。